(57)【要約】【課題】開閉操作時に蓋部材を手指で把持し易く、蓋部材の開閉操作性に優れた保冷箱を提供する。【解決手段】保冷箱１００は、上部開口１０が形成された箱本体１と、上部開口１０を閉塞する平面視略矩形状の蓋部材２と、を備えている。蓋部材２の一端側の側面には、これとは反対側となる他端側の側面に向けて凹む把持用凹部４２ａが形成されている。把持用凹部４２ａは、蓋部材２の上方に開口している。【選択図】図３
2018039564.tif 000002
【特許請求の範囲】
【請求項１】
上部開口が形成された箱本体と、
前記上部開口を閉塞する平面視略矩形状の蓋部材と、を備え、
前記蓋部材の一端側の側面には、これとは反対側となる他端側の側面に向けて凹む把持用凹部が形成されており、
前記把持用凹部は、前記蓋部材の上方へ向けて開口していることを特徴とする保冷箱。
【請求項２】
前記把持用凹部は、前記蓋部材の上下方向において上部側が下部側に比べて幅広に形成されていることを特徴とする請求項１に記載の保冷箱。
【請求項３】
前記把持用凹部内には指掛け部が形成されていることを特徴とする請求項１または請求項２に記載の保冷箱。
【請求項４】
前記把持用凹部は、前記蓋部材の一端側の側面からこれに対応する前記箱本体の一端側の側面に亘って形成されていることを特徴とする請求項１から請求項３のいずれか１項に記載の保冷箱。
【請求項５】
前記蓋部材の閉状態をロックするロック機構と、
前記ロック機構によるロックを解除する操作部と、
を備え、
前記操作部は、前記蓋部材の一端側の上面に配置されて前記蓋部材の他端側を向き、前記蓋部材の一端側に押圧されることで前記ロック機構のロックを解除する操作面を有しており、
前記蓋部材の一端側には、前記把持用凹部の底面と前記操作部の前記操作面との２つの面に手指を当てることで把持することができる把持部が設けられていることを特徴とする請求項１から請求項４のいずれか１項に記載の保冷箱。
【発明の詳細な説明】
【技術分野】
【０００１】
本発明は、保冷箱に関するものである。
【背景技術】
【０００２】
保冷箱には、保冷剤とともに釣った魚、飲み物又は食べ物等の収容物を収容できる収容空間が形成されている。この収容空間は、外気と遮断されており、外気により魚等の収容物が温まらないように保持する。
保冷箱は、特許文献１に示すように、一般に、上方に向って開口する上部開口が形成された箱本体と、箱本体の上部開口を閉塞する蓋部材と、蓋部材の開閉装置と、を備える。保冷箱は、略直方体形状を呈している。蓋部材の各側面は、略平らに形成されており、箱本体の対応する各側面と略面一に形成されている。
【０００３】
開閉装置は、閉状態の蓋部材が開方向へ回動しないように保持（ロック）するロック機構と、そのロック機構のロックを解除するための操作部と、を備える。操作部は、蓋部材の一端部の側面に設けられている。
【先行技術文献】
【特許文献】
【０００４】
【特許文献１】特開平１１−２２７８３８号公報
【発明の概要】
【発明が解決しようとする課題】
【０００５】
しかしながら、特許文献１の保冷箱は、蓋部材の各側面が略平らに形成されているため、開閉操作時に蓋部材を手指で把持しにくいという課題があった。
また、特許文献１の保冷箱は、例えば、運搬時等に保冷箱の前側に他の保冷箱や荷物が隙間なく並べられると、蓋部材の側方に手指を挿入することができず、蓋部材の開閉操作が行い難かった。このため、収容物の出し入れをスムーズに行うことができず、これを改善したいという要望があった。
【０００６】
本発明は、前記課題を解決するためになされたものであり、開閉操作時に蓋部材を手指で把持し易く、蓋部材の開閉操作性に優れた保冷箱を提供することを目的とする。
【課題を解決するための手段】
【０００７】
前記目的を達成するために本発明の保冷箱は、上部開口が形成された箱本体と、前記上部開口を閉塞する平面視略矩形状の蓋部材と、を備えている。前記蓋部材の一端側の側面には、これとは反対側となる他端側の側面に向けて凹む把持用凹部が形成されている。把持用凹部は、蓋部材の上方へ向けて開口している。
【０００８】
この保冷箱では、把持用凹部に手指を添えて蓋部材の一端側部分を手指で把持することができるので、開閉操作時の把持が行い易く、蓋部材の開閉操作性に優れている。
また、運搬時等に保冷箱の前側に他の保冷箱や他の荷物が隙間なく並べられたとしても、蓋部材の上方から把持用凹部に手指を挿入して蓋部材の一端側部分を手指で把持することができるので、蓋部材の開閉操作性に優れている。
【０００９】
また、前記した保冷箱において、前記把持用凹部は、前記蓋部材の上下方向において上部側が下部側に比べて幅広に形成されているのがよい。このようにすることで、把持用凹部に手指を添え易くなる。また、把持用凹部に手指を挿入し易くなる。したがって、蓋部材を把持し易く、蓋部材の開閉操作性に優れている。
【００１０】
前記した保冷箱において、前記把持用凹部内には指掛け部が形成されているのがよい。このようにすることで、把持用凹部に手指を添え易くなる。また、把持用凹部に手指を挿入し易くなる。したがって、蓋部材を把持し易く、蓋部材の開閉操作性に優れている。
【００１１】
また、前記した保冷箱において、前記把持用凹部は、前記蓋部材の一端側の側面からこれに対応する前記箱本体の一端側の側面に亘って形成されているのがよい。このようにすることで、把持用凹部に手指をより添え易くなる。また、把持用凹部に手指をより挿入し易くなる。したがって、蓋部材を把持し易く、蓋部材の開閉操作性に優れている。
【００１２】
また、前記蓋部材の閉状態をロックするロック機構と、前記ロック機構によるロックを解除する操作部と、を備えている場合には、前記操作部は、前記蓋部材の一端側の上面に配置されて前記蓋部材の他端側を向き、前記蓋部材の一端側に押圧されることで前記ロック機構のロックを解除する操作面を有しているのがよい。また、前記蓋部材の一端側には、前記把持用凹部の底面と前記操作部の前記操作面との２つの面に手指を当てることで把持することができる把持部が設けられているのがよい。このようにすることで、操作部を押圧しつつ把持用凹部を掴んで持ち上げる、という開操作が可能である。したがって、蓋部材を把持し易く、蓋部材の開閉操作性に優れている。また、把持部を把持することで、ロック機構のロックが解除される。つまり、利用者が手指を操作部の操作面に当てて、さらに手指を折り曲げて把持部を把持しようとすると、操作面が手指に押圧され、ロック機構のロックが解除される。したがって、蓋部材の開閉操作性に優れている。
【発明の効果】
【００１３】
本発明によれば、開閉操作時に蓋部材を手指で把持し易く、蓋部材の開閉操作性に優れた保冷箱が得られる。
【図面の簡単な説明】
【００１４】
【図１】第１実施形態の保冷箱の分解斜視図である。
【図２】一部分解した蓋部材を上方から視た上面図である。
【図３】保冷箱の正面図である。
【図４】（ａ）はカバー部材の平面図であり、（ｂ）はカバー部材の正面図であり、（ｃ）は箱本体の上部正面図である。
【図５】（ａ）は把持用凹部を断面で示したカバー部材の斜視図であり、（ｂ）はカバー部材の縦断面図であり、（ｃ）はカバー部材の左側面図である。
【図６】保冷箱を図８のＩＩ−ＩＩ線で切った場合の断面図である。
【図７】保冷箱を図８のＩＩＩ−ＩＩＩ線で切った場合の断面図である。
【図８】（ａ）はカバー部材を後側（内側）から視た背面図であり、（ｂ）はガイド部と操作部との関係を示す端面図である。
【図９】（ａ）は手指を操作面等に当てた状態を示す図であり、（ｂ）は把持部を把持した状態図であり、（ｃ）は把持部（蓋部材の前側）を持ち上げた状態である。
【図１０】（ａ）は操作部を左前側の上方から見た斜視図であり、（ｂ）は右後側の下方から操作部を見た斜視図であり、（ｃ）は操作部を下方から見た底面図である。
【図１１】第２実施形態の保冷箱の分解斜視図である。
【図１２】保冷箱の正面図である。
【図１３】（ａ）はカバー部材の把持用凹部にて上下方向に切断した断面斜視図であり、（ｂ）はカバー部材の右端面にて上下方向に切断した断面斜視図である。
【発明を実施するための形態】
【００１５】
以下、本発明の実施形態の保冷箱について、図面を参照して説明する。各実施形態において、同一の部分には同一の符号を付し、重複する説明は省略する。
【００１６】
［第１実施形態］
（保冷箱）
図１に示すように、本実施形態の保冷箱１００は、前後方向よりも左右方向に長く形成された直方体状の箱である。
保冷箱１００は、上部開口１０が形成された箱本体１と、箱本体１の上部開口１０を閉塞する蓋部材２と、開閉装置３と、を備えている。
開閉装置３は、閉状態の蓋部材２が意図せずに開方向に移動することを防止するためのものである。
開閉装置３は、蓋部材２の閉状態をロックするロック機構４（図６参照）と、ロック機構４によるロックを解除する操作プレート（操作部）５と、を備えている。
【００１７】
なお、本実施形態の保冷箱１００は、前後対称な構造になっている。つまり、箱本体１と蓋部材２とが前後対称に形成され、開閉装置３が前側と後側の両方とに設けられている。よって、以下の説明では、前側の構成を説明し、後側の構成の説明を省略する。
【００１８】
（箱本体）
箱本体１は、上部開口１０とその上部開口１０から投入された物を収容する収容空間１１とが形成された有底矩形筒状の樹脂製容器であり、底壁部、前壁部、後壁部、右壁部及び左壁部を備えている。
図６に示すように、各壁部は、樹脂製の外壁１２及び内壁１３と、その外壁１２と内壁１３との間に介在する断熱材（例えば、発泡ウレタン、発泡スチロールなど）１４と、を備える３層構造であり、断熱性に優れている。
【００１９】
図１に示すように、箱本体１の前壁部の上端面には、下方に凹み蓋部材２の一部が上方から入り込む下凹部１５（図３，図４（ｃ），図６参照）が設けられている。下凹部１５は、中央凹部１５ａと、中央凹部１５ａの左側に連続する左凹部１５ｂと、中央凹部１５ａの右側に連続する右凹部１５ｃと、を備えている。中央凹部１５ａは、左凹部１５ｂおよび右凹部１５ｃよりも一段低く形成されている。
左凹部１５ｂ内および右凹部１５ｃ内には、被係合部１６がそれぞれ設けられている。被係合部１６，１６は、中央凹部１５ａを挟んで互いに左右に離間している。被係合部１６は、左右方向に延びる棒状の棒部１６ａを備える金属製部品であり、ロック機構４を構成している。
【００２０】
（蓋部材）
蓋部材２は、図２に示すように、平面視で矩形状に形成されている。
蓋部材２の上面２ａの前端側には、下方に窪み内部に操作プレート５を収容する操作プレート収容部２０と、蓋部材２の前端部を開方向（上方）に移動させる場合に手指により把持可能な把持部２１と、が設けられている。
なお、蓋部材２は、平面視略矩形状の蓋本体３０と、蓋本体３０の前端側及び後端側に設けられるカバー部材４０と、により構成されている。カバー部材４０には、カバー開閉時に手指を添えたり手指で把持したりすることのできる、後述する把持用凹部４２ａが形成されている（図２，図３参照）。
以下では、最初に蓋本体３０とカバー部材４０とを説明し、その後に操作プレート収容部２０と把持部２１とを説明する。
【００２１】
（蓋本体）
図７に示すように、蓋本体３０は、樹脂製の外壁３１及び内壁３２と、その外壁３１と内壁３２との間に介在する断熱材３３と、を備える３層構造であり、断熱性に優れている。なお、特に図示しないが、断熱材３３は、上方から視て矩形状を呈し、箱本体１の上部開口１０と相似形になっている。
また、断熱材３３の外周端３３ａは、上部開口１０よりも外側に位置し（図６、図７の補助線Ｎ参照）、断熱材３３が上部開口１０の全てを覆っている。
【００２２】
図２に示すように、蓋本体３０の前端面３４ａは、中央部が両端部よりも後方に窪んでいる。このため、蓋本体３０の前端部３４とカバー部材４０との間に、後述するロックプレート６を配置できるようになっている（図７参照）。
また、蓋本体３０の前端面３４ａの左右両側には、前方に向って突出する突起３５が設けられている。
【００２３】
そのほか、蓋本体３０の上面３６は、左右の端縁及び前後の端縁よりも中央部が上方に膨出している。このため、蓋本体３０の上面３６は、上方からの荷重を受けても変形し難くなっている。
【００２４】
（カバー部材）
カバー部材４０は、図２，図３，図４（ａ）（ｂ）に示すように、左右方向に延在して蓋部材２の前端部を構成する部品である。
図４（ａ）（ｂ）に示すように、カバー部材４０は、カバー上壁部４１と、カバー前壁部４２と、カバー側壁４３ａ，４３ｂと、を備えている。カバー上壁部４１は、平らに形成されており、蓋部材２の上面２ａの一部を構成している（図１参照）。カバー上壁部４１の後部には、後方へ向けて突出する平面視略三角形状の突出部４１ａが一対形成されている。各突出部４１ａは、図２に示すように、後述する操作プレート５の後側の角部５５，５５を上方から覆っている。
【００２５】
カバー前壁部４２は、カバー上壁部４１の前側から下方に延びて蓋部材２の前側面を構成している（図５（ａ）（ｂ）参照）。カバー前壁部４２の左右方向の中央部には、把持用凹部４２ａが形成されている。把持用凹部４２ａは、カバー前壁部４２の左端面４２ｂや右端面４２ｃよりも内方（後方）に窪んでいる（図５（ａ）（ｂ）参照）。把持用凹部４２ａは、図４（ｂ）に示すように、正面視で略逆台形状を呈している。把持用凹部４２ａは、底壁４２ａ１と、左側壁４２ａ３と、右側壁４２ａ４と、で囲われて形成されており、上下面が開口している（図４（ａ）参照）。把持用凹部４２ａの上端開口は、蓋部材２の上方へ向けて開口しており、蓋部材２を開閉操作する際の手指の挿入口として機能する。
【００２６】
一方、把持用凹部４２ａの下端開口は、図３に示すように、蓋部材２を箱本体１に閉じた状態で、箱本体１の下凹部１５の中央凹部１５ａに対向しており、中央凹部１５ａで閉じられている。これにより、把持用凹部４２ａに添えたり挿入したりした手指は、中央凹部１５ａによってこれよりも下方へ移動することが規制され、把持用凹部４２ａから手指が脱落することが防止される。したがって、手指を把持用凹部４２ａ内にしっかりと配置することができる。
【００２７】
底壁４２ａ１には、後方へ向けて凹設された凹面４２ａ５が形成されている（図５（ａ）（ｂ）参照）。凹面４２ａ５は、正面視で略逆台形状を呈している。凹面４２ａ５は、底壁４２ａ１の下部４２ａ６は、カバー前壁部４２の左端面４２ｂや右端面４２ｃよりも下方に突出している（図５（ｂ）（ｃ）参照）。下部４２ａ６は、図３，図４（ｂ）（ｃ）に示すように、箱本体１の下凹部１５の中央凹部１５ａに倣う突出形状とされており、中央凹部１５ａ内に少なくとも一部が配置されるように構成されている（図３参照）。つまり、把持用凹部４２ａの底壁４２ａ１は、蓋部材２の一端側の側面（前面）からこれに対応する箱本体１の一端側の側面（前面）に亘って形成されている。これにより、把持用凹部４２ａは、蓋部材２の前側面の高さ寸法よりも上下方向に大きい高さ寸法を備えたものとなり、把持するための面積が確保されている。
なお、把持用凹部４２ａは、成人男性の手指を添えたり、把持したりすることができる程度の大きさ（窪み、手指を配置可能な収容空間）を備えている。把持用凹部４２ａの底壁４２ａ１の深さは、手指を添えたり、把持したりすることができるものであれば、適宜設定することができる。
【００２８】
左側壁４２ａ３と右側壁４２ａ４は、図４（ｂ）に示すように、左右方向に対向しており、下端から上端に向けて左右方向に漸次幅広となるテーパー状に形成されている。これにより、把持用凹部４２ａの上端開口は、これとは反対側となる下端開口に比べて開口面積が広くなっている（図４（ａ）参照）。
【００２９】
カバー側壁４３ａ，４３ｂは、左右対称な構造であるので、ここでは、左側のカバー側壁４３ａについて説明する。図５（ｃ）に示すように、カバー側壁４３ａは、カバー部材４０の左側部を覆っている。カバー側壁４３ａには、後述するロックプレート（図８（ａ）参照）の軸部材４５の端部が固定される固定穴４３ｃが形成されている。なお、右側のカバー側壁４３ｂは、カバー部材４０の右側部を覆っている。
【００３０】
次に、カバー部材４０の後面の構造について主として図８を参照して説明する。なお、図８では、構成を見易くするため、カバー部材４０において後方に突出する部分にドットを塗っている。
【００３１】
カバー前壁部４２の後面には、カバー前壁部４２から後方に突出するリブとして、左右のカバー側壁４３ａ，４３ｂから左右方向内側に延びる水平リブ４６と、水平リブ４６の左右方向内端から上方に延びてカバー上壁部４１に連続する上下リブ４７と、が形成されている。また、上下リブ４７から左右方向内側に延びる内側リブ４８と、カバー前壁部４２の後面中央部において左右方向に延びる中央リブ４２ｅと、が形成されている。
そのほか、カバー前壁部４２の後面には、被係合部１６の棒部１６ａ（二点鎖線参照）に係合して棒部１６ａを支持する複数の棒支持部４４と、左右方向に延在する軸部材４５と、軸部材４５に回動自在に設けられたロックプレート６と、付勢部材７と、が設けられている。
なお、ロックプレート６と付勢部材７は、ロック機構４の構成であるため後述する。
【００３２】
水平リブ４６と上下リブ４７とは、カバー部材４０の強度を向上させるためのものである。また、水平リブ４６と上下リブ４７とカバー上壁部４１とにより、矩形状の矩形枠部４７ｃが構成される。
この矩形枠部４７ｃ内には、蓋本体３０の突起３５が嵌合しており、蓋本体３０とカバー部材４０とが一体に結合されている（図６参照）。
また、特に図示しないが、水平リブ４６を下方から貫通するねじが突起３５に螺合し、矩形枠部４７ｃ内から突起３５が抜けないようになっている。
【００３３】
内側リブ４８は、上下リブ４７の上下方向の中間部に連続している。このため、図８（ｂ）に示すように、内側リブ４８と上下リブ４７とカバー上壁部４１とにより略Ｃ字状の壁部を構成している。以下、略Ｃ字状の壁部をガイド部４９と称する。なお、ガイド部４９の説明は後述する。
【００３４】
図６に示すように、棒支持部４４の下端には、切り欠き４４ａが形成されている。そして、切り欠き４４ａに対し下方から被係合部１６の棒部１６ａが入り込み、棒部１６ａと棒支持部４４とが係合している。
【００３５】
図８（ａ）に示すように、軸部材４５は、左右方向に配置された棒支持部４４を貫通し、両端部が左右のカバー側壁４３ａ，４３ｂの各固定穴４３ｃ（図５（ｃ）参照）に固定されている。
【００３６】
（操作プレート収容部）
図１に示すように、操作プレート収容部２０は、蓋部材２の上面２ａよりも下方に操作プレート５を配置するためのものである。これによれば、蓋部材２の上面２ａ上に、他の保冷箱１００を載置しても安定する。
図７に示すように、操作プレート収容部２０は、蓋本体３０の前端部３４の上面を下方に窪ませることで形成され、底面２５と、後側面２６と、左側面２７と、右側面２８と、を備えている。
【００３７】
左側面２７と右側面２８の間の幅Ｌ１は、図２に示すように、前方から後方に向うにつれて次第に狭くなっている。
この幅Ｌ１は、前後方向の中間を境として、前側が操作プレート５の幅よりも大きく、後側が操作プレート５の幅よりも小さくなるように形成されている。言い換えると、幅Ｌ１は、操作プレート５の幅よりも大きく形成された幅広な領域と、操作プレート５の幅よりも小さく形成された幅狭な領域とを有している。
このため、操作プレート収容部２０の前側に操作プレート５を配置できるようになっている。
一方で、操作プレート収容部２０の前側に配置された操作プレート５は、後方へ移動することができず、操作プレート５の後端部が操作プレート収容部２０の後側面２６に当接しないようになっている。
この結果、後側面２６と操作プレート５との間には、常時、手指を挿入できる隙間Ｓ２が形成される。
【００３８】
図７に示すように、底面２５は、カバー部材４０のカバー上壁部４１よりも下方に位置しており、操作プレート収容部２０の底面２５とカバー部材４０のカバー上壁部４１との間には、開口部Ｓ１が形成されている。
なお、蓋部材２において、操作プレート収容部２０の下方に位置する部分には、断熱材３３が充填されている。
【００３９】
（把持部）
把持部２１は、前方を向く前把持面２２と、操作プレート収容部２０内において前把持面２２と相反する方向（後方）を向く後把持面２３と、上方を向く上把持面２４と、を備えている。把持部２１は、操作プレート収容部２０の底面２５よりも上方に突出し、断面視で凸状を成している。このため、手指で前後方向から挟持することで把持可能になっている。
【００４０】
前把持面２２は、前記した把持用凹部４２ａの底壁４２ａ１により構成されている。後把持面２３は、操作プレート収容部２０内に収容された操作プレート５の後端面（操作面５３ａ）により構成されている。後把持面２３は、操作プレート収容部２０内において把持用凹部４２ａの底壁４２ａ１と相反する方向（後方）を向いている。操作プレート５の詳細については後述する。
上把持面２４は、上方から掌を当てるための面である（図９各図参照）。上把持面２４は、カバー部材４０のカバー上壁部４１により構成されている。また、この上把持面２４によれば、手と把持部２１との接触面積が増加し、しっかりと把持することができる。
【００４１】
つぎに、開閉装置３を構成するロック機構４と操作プレート５とを説明する。
図８（ａ）に示すように、ロック機構４は、前記した被係合部１６（図１、図４（ｃ）参照）と、ロックプレート６と、付勢部材７と、を備えている。
【００４２】
（ロックプレート）
ロックプレート６は、左右方向に延在する樹脂製の板状部材である。
ロックプレート６は、上下方向中央部が軸部材４５により貫通され、軸部材４５周りに回動自在になっている。
ロックプレート６は、左右方向中央部に位置し軸部材４５から上方に延びる被押圧部６０と、左右方向両側に位置し軸部材４５から下方に延びる爪部７０と、を備えている。
なお、付勢部材７は、一端が水平リブ４６に係止し、他端が爪部７０の後面に係止し、カバー前壁部４２の後面に向って（保冷箱１００の前方に向って）爪部７０を常時付勢している（図６の矢印参照）。よって、爪部７０と一体な被押圧部６０は、保冷箱１００の後方に移動（回動）するように付勢されている（図７の矢印参照）。
【００４３】
被押圧部６０は、左右方向に長く形成された板状部材であり、左右の上下リブ４７の間に位置している。
図７に示すように、被押圧部６０の上端６０ａは、カバー部材４０のカバー上壁部４１の近傍まで延び、操作プレート収容部２０の底面２５よりも上方に位置している。
なお、上端６０ａは断面半円形状に形成されている。
【００４４】
図６に示すように、爪部７０は、軸部材４５から下方に延びる板部７２と、板部７２の下端から前方に突出する突起７３と、を備えている。
板部７２は、付勢部材７（図８（ａ）参照）により前方へ付勢されていることから、前面が被係合部１６の棒部１６ａに当接している。この当接により、ロックプレート６が回り止めしている。
【００４５】
突起７３は、棒部１６ａの下面に当接している。このため、蓋部材２の前端側を上方に移動させるように力を加えても、突起７３が棒部１６ａに係止し、蓋部材２の前端側が上方に移動しないように規制（ロック）される。これにより、蓋部材２の閉状態が維持される。
また、棒部１６ａの周囲を棒支持部４４と爪部７０とで囲っていることから、蓋部材２は棒部１６ａを中心として回動自在に連結している。
【００４６】
（操作部）
図１０に示すように、操作プレート５は、平面視で略矩形状を呈し、左右方向に長く形成された部品である。また、操作プレート５には、前端面である押圧面５２ａと、後端面である操作面５３ａとが形成されている。
【００４７】
図７に示すように、操作プレート５は、操作プレート収容部２０の前側に収容され、操作プレート収容部２０の底面２５上に載置されている。
操作プレート５の後側の角部５５，５５は、操作プレート収容部２０の左側面２７，右側面２８に当接し（図２において後側に配置された操作プレート５を参照）、後方への移動が規制されている。
操作プレート５の操作面５３ａ（後端面）は、操作プレート収容部２０内において、後方を向いており、把持部２１の後把持面２３を構成している。
【００４８】
操作プレート５の前端部は、操作プレート収容部２０とカバー部材４０との間に形成された開口部Ｓ１に挿入されている。
操作プレート５の前端部は、左右の上下リブ４７（図８（ａ）参照）の間に配置され、操作プレート５の押圧面５２ａがロックプレート６の被押圧部６０に当接している。
よって、操作プレート５に対し、前方に向う荷重であり、かつ、付勢部材７の付勢力よりも大きい荷重が作用すると、被押圧部６０を押圧しながら操作プレート５が前方にスライド（水平移動）する。なお、操作プレート５の詳細な構成については後述する。
【００４９】
つぎに、蓋部材２の開操作方法について図９を参照しながら説明する。
蓋部材２を開ける方法は、把持部２１を把持する工程と、把持部２１を上方に持ち上げる工程と、からなる。
【００５０】
図９（ａ）に示すように、把持部２１を把持する工程は、まず、把持部２１の上方に手を配置し、掌を下方に向ける。
つぎに、前把持面２２（カバー部材４０の把持用凹部４２ａの底壁４２ａ１）に親指を当て、上把持面２４（カバー部材４０のカバー上壁部４１）に掌を当てる。
さらに、親指以外の手指を、操作プレート収容部２０の後側面２６と操作プレート５の操作面５３ａの隙間Ｓ２に挿入し、後把持面２３（操作面５３ａ）に当てる。
【００５１】
なお、後側面２６と操作面５３ａの隙間Ｓ２における左右方向の幅Ｌ１は、操作プレート５よりも幅狭に形成され（図２参照）、操作面５３ａの左右の端部に手指を当て難くなっている。このため、操作面５３ａの中央部に手指を当てるように誘導される。
【００５２】
つぎに、親指とそれ以外の４本の手指とが近接するように、各手指を折り曲げ、把持部２１を把持する。
これによれば、図９（ｂ）に示すように、操作面５３ａが押圧され、操作プレート５が前方に移動し、被押圧部６０が回動する。そうすると、左右の爪部７０と被係合部１６の棒部１６ａ（図６参照）との係合が解除され、蓋部材２の前側が上方に移動（回動）可能となる。
また、被押圧部６０は、カバー前壁部４２の後面に当接すると、ロックプレート６が回り止めする。よって、操作プレート５は、前方に移動することが規制され、把持部２１を前後方向から挟持（把持）することができる。
【００５３】
ここで、例えば、押圧面５２ａが傾いて被押圧部６０の左端部のみが押圧されると（以下、「片当たり」という。）、左側の爪部７０は十分に回動するが、右側の爪部７０は回動量が少なく被係合部１６との係合が解除されないおそれがある。
この場合、実施形態によれば、操作面５３ａの中央部に手指を当てるように、言い換えると、操作面５３ａの中央部を押圧するように誘導されていることから、片当たりする可能性が少ない。よって、左右両側の爪部７０と被係合部１６との係合は確実に解除される。
【００５４】
つぎに、把持部２１を把持した状態を維持しながら、手を上方に移動する。これによれば、図９（ｃ）に示すように、蓋部材２の前端側が上方に持ち上がる。そして、引き続き手を上方に移動させると、蓋部材２は、後側の開閉装置３における被係合部１６の棒部１６ａを中心に回動し、箱本体１の上部開口１０が開放される。
【００５５】
以上が蓋部材２の開操作方法である。また、前側の把持部２１と後側の把持部２１に対し、上記操作を同時に行うと、前後両側に設けられたロック機構４のロックが解除され、箱本体１から蓋部材２を取り外すことができる。
【００５６】
つぎに、操作プレート５の詳細について説明する。
図１０に示すように、操作プレート５は、平面視略矩形状の本体部５０と、本体部５０の下面の中央近傍で前後に延びる操作部用リブ５１と、本体部５０の前端に沿って下方に延び、前面が押圧面５２ａを構成する前壁５２と、本体部５０の後端に沿って下方に延び、後面が操作面５３ａを構成する後壁５３と、後壁５３の上端面から斜め上方に延出する延出部５４と、本体部５０の後側の角から下方に延びる角部５５と、本体部５０に左右の端縁に沿って下方に延びる側壁５６と、を備えている。
【００５７】
図１０（ａ）に示すように、本体部５０の上面の前縁側には、上方に突出する上摺動部５０ａが形成されている。
図１０（ｂ）に示すように、操作部用リブ５１の下面には、操作部用リブ５１よりも幅狭に形成された下摺動部５１ａが形成されている。
図７に示すように、上摺動部５０ａは、カバー上壁部４１の下面に摺動自在に当接している。また、下摺動部５１ａは、操作プレート収容部２０の底面２５に摺動自在に当接している。そして、この上摺動部５０ａと下摺動部５１ａによれば、操作プレート５の上下動が抑制される。また、本体部５０の上面及び操作部用リブ５１の下面が当接する場合よりも接触面積を減らすことができ、操作プレート５のスライドをスムーズとすることができる。
【００５８】
図１０（ｃ）に示すように、前壁５２は、左右方向に直線状に延び、押圧面５２ａが平坦な面になっている。
後壁５３は、湾曲しており中央部が前方に窪んでいる。また、延出部５４も後壁５３に対応するように湾曲しており中央部が前方に窪んでいる。
このため、図２に示すように、操作プレート収容部２０の後側面２６と操作プレート５との隙間Ｓ２は、左右側よりも中央部が最も大きくなり、中央部寄りに手指を挿入するように誘導できる。この結果、操作面５３ａの中央部に手指を当てる確率が増え、操作プレート５による被押圧部６０への片当たりを防止することができる。
【００５９】
図７に示すように、延出部５４は、操作面５３ａの上端縁から上側後方へ斜めに延びている。
この延出部によれば、図９（ｃ）に示すように、把持部２１を把持して蓋部材２の開操作を行っている場合、手指から操作面５３ａが滑り落ちたとしても、手指に延出部５４が引っ掛かる。よって、蓋部材２の開操作を行う際の操作性を高めることができる。
一方で、蓋部材２が閉状態において、利用者が誤って延出部５４に手指を引っ掛けて持ち上げるという操作を行っても、延出部５４が傾斜していることから、手指が外れ易くなっている。よって、操作プレート５に必要以上の荷重が作用して破損する、ということを防止できる。
【００６０】
図１０（ｂ）に示すように、左右の側壁５６は、前壁５２及び後壁５３よりも上下方向の長さが短く形成されている。
また、側壁５６の上面には、上摺動部５０ａが形成され、側壁５６の下面には、下摺動部５１ａが形成されている。
図８（ｂ）に示すように、左右の側壁５６は、カバー部材４０に形成されたガイド部４９内に挿入されている。
【００６１】
側壁５６の上摺動部５０ａは、ガイド部４９の上壁（カバー上壁部４１）の下面に摺動自在に当接している。側壁５６の下摺動部５１ａは、ガイド部４９の下壁（内側リブ４８）の上面に摺動自在に当接している。
また、側壁５６の外面５６ａには、上下リブ４７からガイド部４９内に突出する横摺動部４９ａが摺動自在に当接している。
なお、横摺動部４９ａは前後方向に延在しており、常時側壁５６の外面５６ａに当接している。
上記構成によれば、操作プレート５の側壁５６とガイド部４９との接触面積を減らすことができ、操作プレート５のスライドをスムーズとすることができる。
さらに、横摺動部４９ａによれば、操作プレート５の押圧面５２ａを被押圧部６０と平行に保持することができ、操作プレート５の片当たりを防止することができる。この結果、左右両側の爪部７０と被係合部１６との係合が確実に解除される。
【００６２】
以上、実施形態によれば、把持用凹部４２ａの底壁４２ａ１に手指を添えて蓋部材２の一端側部分（前側部分または後側部分）を手指で把持することができるので、開閉操作時の把持が行い易く、蓋部材２の開閉操作性に優れている。
また、運搬時等に保冷箱１００の前側に他の保冷箱や他の荷物が隙間なく並べられ、保冷箱１００の前側面と他の保冷箱等との間に手指を挿入する隙間がない場合であっても、把持用凹部４２ａの底壁４２ａ１と他の保冷箱の側面との間にスペースが形成される。よって、そのスペースに手指を上方から挿入して蓋部材２の前側部分を手指で把持することができるので、蓋部材２の開閉操作性に優れている。
【００６３】
また、把持用凹部４２ａは、蓋部材２の上下方向において上端開口が下端開口に比べて幅広に形成されているので、把持用凹部４２ａに手指を添え易く、また、把持用凹部４２ａに手指を挿入し易い。したがって、蓋部材２を把持し易く、蓋部材２の開閉操作性に優れている。また、把持用凹部４２ａのテーパー状の左側壁４２ａ３や右側壁４２ａ４を利用して、左斜め上方から把持用凹部４２ａに手を挿入したり、右斜め上方から把持用凹部４２ａに手を挿入したりすることもできる。
【００６４】
また、把持用凹部４２ａ内には凹面４２ａ５が形成されているので、把持用凹部４２ａ（底壁４２ａ１）に手指を添え易く、また、把持用凹部４２ａに手指を挿入し易い。したがって、蓋部材２を把持し易く、蓋部材２の開閉操作性に優れている。
【００６５】
また、把持用凹部４２ａは、蓋部材２から箱本体１に亘って形成されているので、把持用凹部４２ａに手指をより添え易く、また、把持用凹部４２ａに手指をより挿入し易い。したがって、蓋部材２を把持し易く、蓋部材２の開閉操作性に優れている。
【００６６】
また、蓋部材２の一側（例えば前面側）に押圧されることでロック機構４のロックを解除する操作プレート５を備え、把持用凹部４２ａの底壁４２ａ１（底面、前把持面２２）と操作プレート５の操作面５３ａ（後把持面２３）との２つの面に手指を当てることで把持することができる把持部２１が設けられている。これにより、操作プレート５を押圧しつつ把持用凹部４２ａの底壁４２ａ１を掴んで持ち上げる、という開操作が可能である。したがって、蓋部材２を把持し易く、蓋部材２の開閉操作性に優れている。また、把持部２１を把持することで、ロック機構４のロックが解除される。つまり、利用者が手指を操作プレート５の操作面５３ａに当てて、さらに手指を折り曲げて把持部２１を把持しようとすると、操作面５３ａが手指に押圧され、ロック機構４のロックが解除される。したがって、利便性が高く、蓋部材２の開閉操作性に優れている。
【００６７】
また、蓋部材２の側面（把持用凹部４２ａの底壁４２ａ１）に手指を当てて蓋部材２の側面を把持しているため、蓋部材２を持ち上げる際に操作プレート５に作用する荷重が低減し、操作プレート５の変形・破損が抑制される。
【００６８】
また、上把持面２４（カバー上壁部４１）が形成されているため、しっかりと把持することができ、蓋部材２の開操作が安定する。
さらに、前把持面２２および上把持面２４は、カバー部材４０を利用しているため、蓋部材２の製造の複雑化を招くおそれがない。
【００６９】
また、実施形態によれば、操作プレート５が操作プレート収容部２０の底面に沿って移動する。言い換えると、従来技術のように、操作部の下面に手指を引っ掛けて持ち上げるようになっていない。
このため、操作プレート５の下方に手指を挿入するためのスペースを形成する必要がなく、操作プレート収容部２０を浅く設計することができる一方で、操作プレート収容部２０の下方に位置する蓋部材２の厚み（図７のＬ２参照）を大きく設計できる。
この結果、本実施形態のように操作プレート収容部２０の底壁を構成する蓋部材２の内部に断熱材３３を設けたり、若しくは、外壁３１と内壁３２との間を空洞とすることなく外壁３１、内壁３２を形成する例えば樹脂材料で充填し中実に形成したりすることが可能となり、断熱性の低下を抑制できる。
【００７０】
また、蓋部材２において操作プレート収容部２０の下方に位置する部分は、蓋部材２において最も肉薄となっている部分である。
このため、本実施形態のように、操作プレート収容部２０の底壁を構成する蓋部材２の内部に断熱材３３を設けると、蓋部材２の断熱性を効果的に向上させることができる。
【００７１】
さらに、操作プレート収容部２０の底壁を構成する蓋部材２の内部に断熱材３３を設けることで、断熱材３３が上部開口１０の全てを覆うように構成されている。このため、収容空間１１内の冷気が蓋部材２を介して外部に逃げ難くなっており、蓋部材２の断熱性が飛躍的に高い。
【００７２】
［第２実施形態］
つぎに、図１１〜図１３を参照して第２実施形態の保冷箱について説明する。本実施形態が前記第１実施形態と異なるところは、把持用凹部４２ａの下方に操作部としての操作部材４２ｆを配置した点にある。
【００７３】
把持用凹部４２ａの底壁４２ａ１は、下端部が上方へ凹状に切り欠かれており、この切り欠かれたスペースを利用して操作部材４２ｆが配置されている。つまり、操作部材４２ｆは、把持用凹部４２ａの底壁４２ａ１に連続して設けられている。
【００７４】
操作部材４２ｆは、底壁４２ａ１の凹状に切り欠かれた部分にすっぽり配置される横長形状（正面視長円形状）に形成されている。操作部材４２ｆは、図１２に示すように、正面視で、下部がカバー部材４０の左端面４２ｂおよび右端面４２ｃの下端よりも下方に突出している。操作部材４２ｆの下部は、箱本体１の下凹部１５の中央凹部１５ａ内に収容されている。つまり、前記第１実施形態で説明した把持用凹部４２ａのスペース内に操作部材４２ｆを配置した構成となっている。これにより、箱本体１の構成を変更することなく、第１実施形態と第２実施形態とで箱本体１を共通の部品として用いることができる。
【００７５】
操作部材４２ｆは、図１３（ａ）に示すように、後方へ向けて湾曲凹状に形成された指掛け部４２ｆ１を備えている。操作部材４２ｆは、ロックプレート６に一体に設けられている。ロックプレート６は、軸部材４５に貫通され、軸部材４５周りに回動自在である。
【００７６】
図１３（ｂ）に示すように、ロックプレート６には爪部７０が一体に設けられている。爪部７０は、付勢部材７によって前方へ移動（回動）するように常時付勢され、被係合部１６の棒部１６ａに係合している。爪部７０は、付勢部材７の付勢力よりも大きい荷重で操作部材４２ｆが後方へ押圧操作されることで、被係合部１６の棒部１６ａに対する係合を解除するように構成されている。
【００７７】
以上、実施形態によれば、把持用凹部４２ａの底壁４２ａ１に手指を添えて蓋部材２の一端側部分（前側部分または後側部分）を手指で把持することができるので、開閉操作時の把持が行い易く、蓋部材２の開閉操作性に優れている。
また、運搬時等に保冷箱１００Ａの前側に他の保冷箱や他の荷物が隙間なく並べられ、保冷箱１００Ａの前側面と他の保冷箱等との間に手指を挿入する隙間がない場合であっても、把持用凹部４２ａの底壁４２ａ１と他の保冷箱の側面との間にスペースが形成される。よって、そのスペースに手指を上方から挿入して蓋部材２の前側部分を手指で把持することができるので、蓋部材２の開閉操作性に優れている。
【００７８】
また、把持用凹部４２ａは、蓋部材２の上下方向において上端開口が下端開口に比べて幅広に形成されているので、把持用凹部４２ａに手指を添え易く、また、把持用凹部４２ａに手指を挿入し易い。したがって、蓋部材２を把持し易く、蓋部材２の開閉操作性に優れている。また、把持用凹部４２ａのテーパー状の左側壁４２ａ３や右側壁４２ａ４を利用して、左斜め上方から把持用凹部４２ａに手を挿入したり、右斜め上方から把持用凹部４２ａに手を挿入したりすることもできる。
【００７９】
また、把持用凹部４２ａの下部に連続して操作部材４２ｆが配置されているので、手指を把持用凹部４２ａの底壁４２ａ１に当てて、さらに手指を折り曲げて蓋部材２の前側面を把持しようとすると、操作部材４２ｆが手指に押圧され、開閉装置３のロック機構４のロックが解除される。
以上から、本発明によれば、把持用凹部４２ａを把持する動作にロックを解除する動作が含まれるため、操作性が良く利便性が高い。
【００８０】
以上、実施形態について説明したが、本発明は実施形態で説明した例に限定されない。
例えば、前記各実施形態では、把持用凹部４２ａの左側壁４２ａ３と右側壁４２ａ４が下端から上端に向けて左右方向に漸次幅広となるテーパー状に形成されているものを示したが、これに限られない。例えば、左側壁４２ａ３および右側壁４２ａ４の片側だけ傾斜を持たせてもよいし、傾斜を持たせずに上下方向に一定の幅に形成してもよい。また、円弧状や段状の斜面としてもよい。
【００８１】
また、把持用凹部４２ａは、蓋部材２の前面側および後面側の側面にそれぞれ１つ形成したものを示したが、これに限られることはなく、前面側および後面側の側面に複数個ずつ設けてもよい。
【００８２】
また、把持用凹部４２ａは上端開口および下端開口を備える構成としたが、これに限られることはなく、上端開口が確保されたものであればよい。
【００８３】
また、把持用凹部４２ａは、操作プレート５や操作部材４２ｆとセットで設ける必要はなく、単独で設けてもよい。
【００８４】
また、把持用凹部４２ａの底壁４２ａ１に滑り止め用として、リブや凹凸部等を設けたり、滑り止め部材を配置したりしてもよい。
【００８５】
また、把持用凹部４２ａの底壁４２ａ１を、鉛直方向に対して傾斜を持たせて、把持性を高めてもよい。
【符号の説明】
【００８６】
１００  保冷箱
１      箱本体
２      蓋部材
４      ロック機構
５      操作プレート（操作部）
１０    上部開口
２１    把持部
２２    前把持部
２３    後把持部
４２ａ    把持用凹部
４２ａ１  底壁（底面）
４２ａ５  凹面（指掛け部）
５３ａ    操作面
１００，１００Ａ    保冷箱
【図１】
2018039564.tif 000003
【図２】
2018039564.tif 000004
【図３】
2018039564.tif 000005
【図４】
2018039564.tif 000006
【図５】
2018039564.tif 000007
【図６】
2018039564.tif 000008
【図７】
2018039564.tif 000009
【図８】
2018039564.tif 000010
【図９】
2018039564.tif 000011
【図１０】
2018039564.tif 000012
【図１１】
2018039564.tif 000013
【図１２】
2018039564.tif 000014
【図１３】
2018039564.tif 000015